(57)【要約】【課題】装置本体から離れた場所において、ＬＡＮ等の通信設備がない場合であっても、装置本体に保存された画像データを見られる画像処理装置を提供する。【解決手段】装置本体２に対して取り外し可能に装着される操作ユニット３が設けられ、装置本体２のフラッシュメモリ２４に保存された画像データが、シリアルインターフェイス２８，３９等を介して操作ユニット３のフラッシュメモリ３６に与えられて保存される。そして、操作ユニット３のキー３２を介して表示の指示を入力することにより、そのフラッシュメモリ３６に保存された画像データがＬＣＤ３４に表示される。認証により操作ユニット３のフラッシュメモリ３６に保存されたデータ（画像データ等）の利用権限が認められた場合にのみ、フラッシュメモリ３６に保存された画像データ等の表示の指示（操作）が受け付けられる。【選択図】図２
2009089285.tif 000002
【特許請求の範囲】
【請求項１】
画像に対する処理を行う装置本体と、前記装置本体に対して取り外し可能に装着され、所定の通信路を介して前記装置本体と通信を行う操作ユニットとを備え、
前記装置本体は、画像データが保存される第１の記憶部と、前記第１の記憶部に保存された前記画像データを前記通信路を介して前記操作ユニットに与える第１の制御部とを備え、
前記操作ユニットは、操作を受け付ける操作部と、画像の表示を行う表示部と、第２の記憶部と、前記通信路を介して前記装置本体から与えられた前記画像データを前記第２の記憶部に保存するとともに、前記操作部を介して入力された表示の指示に応じ、前記第２の記憶部に保存された前記画像データを読み出して前記表示部に表示させる第２の制御部とを備えることを特徴とする画像処理装置。
【請求項２】
請求項１に記載の画像処理装置において、
前記操作ユニットの前記第２の記憶部には、前記第２の記憶部に保存された画像データの利用権限に関する登録情報が保存されており、
前記操作ユニットは、利用権限に関する認証情報の入力を受け付ける受付部をさらに備え、
前記操作ユニットの前記第２の制御部は、前記受付部を介して入力された前記認証情報と前記登録情報とに基づいて利用権限があると判断した場合に、前記第２の記憶部に保存された画像データの表示の指示を受け付けることを特徴とする画像処理装置。
【請求項３】
請求項１又は請求項２に記載の画像処理装置において、
前記装置本体の前記第１の制御部は、前記第１の記憶に保存された前記画像データを、前記操作ユニットでの表示のために最適化した後、前記通信路を介して前記操作ユニットに与えることを特徴とする画像処理装置。
【請求項４】
請求項１又は請求項２に記載の画像処理装置において、
前記操作ユニットの前記第２の制御部は、前記第２の記憶部に保存された前記画像データを読み出した前記画像データを、前記表示部での表示のために最適化した後、前記表示部に表示させることを特徴とする画像処理装置。
【発明の詳細な説明】
【技術分野】
【０００１】
本発明は、画像処理装置に関する。
【背景技術】
【０００２】
装置本体をリモートコントロールできるよう、取外し可能に装置本体に装着される操作手段を備えた画像形成装置が提案されている（特許文献１）。また、ＬＡＮ（Local Area Network）等を介してパーソナルコンピュータ（ＰＣ：Personal Computer）より装置を制御できるとともに、セキュリティのための認証手段を備えたシステムも提案されている（特許文献２）。
【特許文献１】特開平８−６３０５４号公報
【特許文献２】特開２００５−６５０５３号公報
【発明の開示】
【発明が解決しようとする課題】
【０００３】
近年、複合機内に大容量のメモリが備えられ、そのメモリ内に蓄積された画像ファイルを操作部の表示部で見たいという要望が高まっている。しかし、操作部は装置本体に固定されていたので、見る人が装置のところに行かなければならなかった。複合機をＬＡＮ等に接続し、ＰＣのディスプレイで複合機に蓄積された画像データを見ることも考えられるが、ＬＡＮ等の通信設備のない場所では画像データが見られない。
【０００４】
そこで、本発明の解決すべき課題は、装置本体から離れた場所において、ＬＡＮ等の通信設備がない場合であっても、装置本体に保存された画像データを見られる画像処理装置の提供である。
【課題を解決するための手段】
【０００５】
上記の課題を解決するため、本発明に係る画像処理装置では、画像に対する処理を行う装置本体と、前記装置本体に対して取り外し可能に装着され、所定の通信路を介して前記装置本体と通信を行う操作ユニットとを備え、前記装置本体は、画像データが保存される第１の記憶部と、前記第１の記憶部に保存された前記画像データを前記通信路を介して前記操作ユニットに与える第１の制御部とを備え、前記操作ユニットは、操作を受け付ける操作部と、画像の表示を行う表示部と、第２の記憶部と、前記通信路を介して前記装置本体から与えられた前記画像データを前記第２の記憶部に保存するとともに、前記操作部を介して入力された表示の指示に応じ、前記第２の記憶部に保存された前記画像データを読み出して前記表示部に表示させる第２の制御部とを備える。
【０００６】
また、本発明に係る画像処理装置において、前記操作ユニットの前記第２の記憶部には、前記第２の記憶部に保存された画像データの利用権限に関する登録情報が保存されており、前記操作ユニットは、利用権限に関する認証情報の入力を受け付ける受付部をさらに備え、前記操作ユニットの前記第２の制御部は、前記受付部を介して入力された前記認証情報と前記登録情報とに基づいて利用権限があると判断した場合に、前記第２の記憶部に保存された画像データの表示の指示を受け付ける。
【０００７】
また、本発明に係る画像処理装置において、前記装置本体の前記第１の制御部は、前記第１の記憶に保存された前記画像データを、前記操作ユニットでの表示のために最適化した後、前記通信路を介して前記操作ユニットに与える。
【０００８】
また、本発明に係る画像処理装置において、前記操作ユニットの前記第２の制御部は、前記第２の記憶部に保存された前記画像データを読み出した前記画像データを、前記表示部での表示のために最適化した後、前記表示部に表示させる。
【発明の効果】
【０００９】
本発明によれば、装置本体に対して取り外し可能に装着される操作ユニットが設けられ、装置本体の第１の記憶部に保存された画像データが、通信路を介して操作ユニットの第２の記録部に与えられて保存される。そして、操作ユニットの操作部を介して表示の指示を入力することにより、その第２の記憶部に保存された画像データが表示部に表示される。それ故、操作ユニットを装置本体から取り外して所望の場所に持っていくことにより、装置本体から離れた場所において、ＬＡＮ等の通信設備がない場合であっても、装置本体に蓄積された画像データを見られる。例えば、ＬＡＮ等のない会議室で複数の人が装置本体に蓄積された画像データを見る場合等に便利である。
【００１０】
また、本発明によれば、認証により第２の記憶部に保存された画像データの利用権限が認められた場合にのみ、第２の記憶部に保存された画像データの表示の指示が受け付けられる。それ故、操作ユニットに保存された画像データが利用権限のない者に見られるのを防止できる。
【００１１】
また、本発明によれば、装置本体に保存された画像データを操作ユニットでの表示のために最適化した後、操作ユニットで表示される。それ故、操作ユニットでの表示を行うために、画像データのサイズ（画素数）を最適化した状態で画像データを表示できる。
【発明を実施するための最良の形態】
【００１２】
図１は本発明の一実施形態に係る画像処理装置の一部を拡大して示す図であり、図２はその画像処理装置のブロック図である。この画像処理装置１は、図１に示すように、画像に対する処理を行う装置本体２と、装置本体２に対して取り外し可能に装着され、画像処理装置１に対する操作の受付及び情報の表示等を行う操作ユニット３とを備えている。この画像処理装置１には、原稿から画像を読み取るスキャナ機能、原稿から読み取った画像を記録用紙にプリントするコピー機能等を備えている。この他、画像処理装置１にファクシミリ（インターネットファクシミリを含む）を送信及び受信するファクシミリ機能等を追加してもよい。
【００１３】
装置本体２には、操作ユニット３が装着される装着部４が設けられている。操作ユニット３が装着部４に装着されるのに伴って、端子等によって構成される接続部５，６（図２参照）によって操作ユニット３と装置本体１とが電気的に接続される。接続部５，６は、操作ユニット３が装着部４から取り外されるのに伴って切り離される。接続部５は、装置本体２と操作ユニット３との間の通信路を構成するものである。接続部６は、装置本体２から操作ユニット３へ電源を供給するためのものである。
【００１４】
装置本体２は、図２に示すように、スキャナ部２１、第１の制御部としてのＣＰＵ（Central Processing Unit）２２、ＪＰＥＧ（Joint Photographic Experts Group）コーデック２３、第１の記憶部としてのフラッシュメモリ（ＦＬＡＳＨ）２４、ＳＲＡＭ（Static Random Access Memory）２５、ＳＤＲＡＭ（Synchronous Dynamic Random Access Memory）２６、プリンタ部２７、シリアルインターフェイス２８及び電源制御部２９を備えている。
【００１５】
スキャナ部２１は、原稿からの画像の読み取りを行う。ＣＰＵ２２は、この画像処理装置１全体の制御を担っている。このＣＰＵ２２の制御の詳細については後述する。
【００１６】
ＪＰＥＧコーデック２３は、画像データに対するＪＰＥＧ符号化及び復号を行う。例えば、スキャナ部２１にて読み取られた画像データをフラッシュメモリ２４に保存するときに、その画像データがＪＰＥＧコーデック２３によりＪＰＥＧ符号化されて保存される。また、フラッシュメモリ２４にＪＰＥＧ符号化されて保存されている画像データをプリンタ部２７でプリントするときに、その読み出された画像データがＪＰＥＧコーデック２３により復号されてプリンタ部２７に与えられる。さらに、フラッシュメモリ２４に保存されている画像データを後述する操作ユニット３にて表示するときに、その読み出された画像データがＪＰＥＧコーデック２３により復号されて操作ユニット３に与えられるようにしてもよい。
【００１７】
フラッシュメモリ２４は、この装置本体２に蓄積された画像データが保存されている。蓄積される画像データとしては、スキャナ機能等の利用時にスキャナ部２１により読み込まれた画像データ等が含まれる。また、この画像処理装置１にファクシミリ機能が備えられる場合には、ファクシミリにより受信された画像データ、及び送信された画像データ等も含まれる。また、フラッシュメモリ２４には、この画像処理装置１のユーザの利用権限に関する認証のための登録情報も保存されている。
【００１８】
ＳＲＡＭ２５は、電話帳データ等の保存に用いられる。ＳＤＲＡＭ２６は、ＣＰＵ２２が情報処理を行うときのワークエリア等して用いられる。プリンタ部２７は、画像データのプリントを行う。シリアルインターフェイス２８は、操作ユニット３との間で接続部５を介してシリアル形式の通信路を形成する。シリアルインターフェイス２８は、後述する操作ユニット３のシリアルインターフェイス３９とともに、接続部５を介して例えばＵＳＢ（Universal Serial Bus）（ＵＳＢ２．０等）を形成する。
【００１９】
電源制御部２９は、操作ユニット３に対して接続部６を介して電源を供給する。この電源制御部２９によって操作ユニット３に与えられる電源の一部は、後述するバッテリ４０の充電に用いられる。
【００２０】
操作ユニット３は、図２に示すように、キー検知回路３１、操作部及び受付部としてのキー３２、ＬＣＤ（Liquid Crystal Display）ドライバー３３、表示部としてのＬＣＤ３４、第２の制御部としてＣＰＵ３５、第２の記憶部としてのフラッシュメモリ（ＦＬＡＳＨ）３６、ＳＲＡＭ３７、ＳＤＲＡＭ３８、シリアルインターフェイス３９及びバッテリ４０を備えている。
【００２１】
キー検知回路３１は、キー３２に対する操作を検知してＣＰＵ３５に与える。キー３２は、操作及び利用権限に関する認証情報（例えば、パスワード等）の入力を受け付けるものである。このキー３２としては、押圧スイッチ等からなるキー３２１（図１参照）、及び、ＬＣＤ３４の表面に設けられたタッチパネルにより構成されるキー（図示せず）が備えられている。
【００２２】
ＬＣＤドライバー３３は、ＬＣＤ３４の駆動を行う。ＬＣＤ３４は、操作に必要な情報の表示、タッチパネルの画像の表示、及びこの画像処理装置１に蓄積されている画像データの表示等を行う。また、ＬＣＤ３４にカラー表示が可能なものを用いてもよく、あるいはモノクロ表示タイプのものを用いてもよい。ＣＰＵ３５は、操作ユニット３の制御を担っている。このＣＰＵ３５の制御の詳細については後述する。
【００２３】
フラッシュメモリ３６には、装置本体２のフラッシュメモリ２４に保存されてる画像データ、及びユーザの登録情報が、装置本体２から送り出されて保存される。ＳＲＡＭ３７には、装置本体２のＳＲＡＭ２５に保存されている電話帳データ等が、装置本体２から送り出されて保存される。ＳＤＲＡＭ３８は、ＣＰＵ３５が情報処理を行うときのワークエリア等して用いられる。
【００２４】
シリアルインターフェイス３９は、上述の如く、装置本体２との間で接続部５を介してシリアル形式の通信路を形成する。バッテリ４０は、操作ユニット３が装置本体２から取り外された際に操作ユニット３に電源を供給するためのものである。バッテリ４０への充電は、操作ユニット３が装置本体２に装着されているときに、装置本体２から接続路６を介して与えられる電力によって行われる。
【００２５】
次に、操作ユニット３が装置本体２に装着されているときの画像処理装置１の動作について説明する。操作ユニット３が装置本体２に装着されているときには、ＣＰＵ２２，３５が連携することにより、操作ユニット３にて受け付けられた操作に基づいて、スキャン及びコピー等の処理が行われる。
【００２６】
またこの状態では、装置本体２のフラッシュメモリ２４に保存された情報の更新の状況が、操作ユニット３のフラッシュメモリ３６の保存内容に順次反映される。例えば、フラッシュメモリ２４の保存内容が更新されたとき又は定期的に、装置本体２のＣＰＵ２２はフラッシュメモリ２４に追加された画像データ等を、シリアルインターフェイス２８を介して操作ユニット３に与える。操作ユニット３のＣＰＵ３５は、その与えられた画像データ等をシリアルインターフェイス３９を介して受け取り、フラッシュメモリ３６に保存する。フラッシュメモリ３６に保存された画像データ等が削除された場合にも、対応する画像データを削除するための指示が、シリアルインターフェイス２８，３９を介して装置本体２から操作ユニット３に与えられる。この指示に応答して、操作ユニット３側で、フラッシュメモリ３６内の対応する画像データ等が削除される。
【００２７】
なお、操作ユニット３が取り外されているときに、フラッシュメモリ２４の保存内容が更新された場合には、操作ユニット３が装置本体２に装着されたときに、フラッシュメモリ２４の更新内容が操作ユニット３のフラッシュメモリ３６に反映される。
【００２８】
次に、操作ユニット３が装置本体２から取り外されているときの操作ユニット３の動作について説明する。
【００２９】
装置本体２から取り外された操作ユニット３は、容易に持ち運べるため、フラッシュメモリ３６に保存された画像データ等に対するセキュリティ対策が必要となる。そこで、本実施形態では、フラッシュメモリ３６に保存されたデータ（画像データ等）ごと、又はフォルダごとに利用権限に関する認証を行う。その認証では、キー３２から入力された認証情報（例えば、パスワード）とフラッシュメモリ３６に予め保存された登録情報とが比較し、入力された認証情報が適正なものであるか否かが判断される。そして、入力された認証情報が適正なものであった場合にのみ、利用権限に関する認証が必要なデータ又はフォルダへのアクセスが認められる。例えば、入力されたパスワードがフラッシュメモリ３６に予め保存されたパスワードと一致した場合に、そのパスワードに応じたデータ又はフォルダへのアクセスが認められる。
【００３０】
図３は、操作ユニット３のＣＰＵ３５の制御を示すフローチャートである。図３に示すように、ステップＳ１ではキー３２に対する操作（入力）があったか否かが判断され、操作があった場合には、ステップＳ２にて操作ユニット３が取り外されているか否かが判断される。操作ユニット３が装置本体２に装着されている場合には、ステップＳ３にてその操作が受け付けられて、操作内容に関する情報がシリアルインターフェイス２８，３９を介して装置本体２に与えられ、操作内容に応じた動作が行われる。
【００３１】
操作ユニット３が取り外されている場合には、ステップＳ４にて、操作がフラッシュメモリ３６内における利用権限に関する認証が必要なデータ又はフォルダに対するアクセスであるか否かが判断される。操作が認証が不要なデータ又はフォルダに対するアクセスである場合には、ステップＳ８にて操作によって特定されたフラッシュメモリ３６内のデータ（画像データ等）がＬＣＤ３４に表示される。
【００３２】
操作が認証が必要なデータ又はフォルダに対するアクセスである場合には、ステップＳ５にてパスワードの入力を要求するメッセージがＬＣＤ３４に表示される。ステップＳ６でキー３２を介してパスワードが入力された場合には、ステップＳ７にて入力されたパスワードが正しいか否かが判断される。パスワードが正しい場合にはアクセス対象のデータ又はフォルダに対するアクセスが許可され、ステップＳ８にて、操作により特定されたフラッシュメモリ３６内のデータ（画像データ等）がＬＣＤ３４に表示される。
【００３３】
入力されたパスワードが誤っている場合には、ステップＳ９にて、パスワードの誤り（あるいは、パスワードの誤り及び再入力）を示すエラーメッセージがＬＣＤ３４に表示されて、ステップＳ６に戻る。なお、パスワードの誤りが所定の回数以上続いた場合には、それ以上のパスワードの入力を受け付けないようにしてもよい。
【００３４】
また本実施形態では、装置本体２のフラッシュメモリ２４に保存された画像データを、操作ユニット３のＬＣＤ３４で表示するための最適化を行った後、ＬＣＤ３４に表示する。この最適化によって、画像データのサイズ（ドット数）及びカラータイプ（カラーか、モノクロか）などがＬＣＤ３４の特性（画素数、カラータイプ等）に応じて自動的に調節される。また、この最適化によって、画像データのデータ形式（ＪＰＥＧ、ＴＩＦＦ（Tagged Image File Format）等）の変換を行ってもよい。
【００３５】
上記の最適化の処理は、装置本体２側で行ってもよし、操作ユニット３側で行ってもよい。最適化の処理を装置本体２側で行う場合には、装置本体２のＣＰＵ２２が、フラッシュメモリ２４に保存された画像データを操作ユニット３に送り出す際に、画像データに対して最適化を行う。また、最適化の処理を操作ユニット３側で行う場合には、操作ユニット３のＣＰＵ３５が画像データに対する最適化を行う。この場合の最適化は、装置本体２から与えれた画像データがフラッシュメモリ３６に保存される際、あるいは、フラッシュメモリ３６から読み出された画像データがＬＣＤ３４に表示される際に行われる。
【００３６】
以上のように、本実施形態によれば、装置本体２に対して取り外し可能に装着される操作ユニット３が設けられ、装置本体２のフラッシュメモリ２４に保存された画像データが、シリアルインターフェイス２８，３９等を介して操作ユニット３のフラッシュメモリ３６に与えられて保存される。そして、操作ユニット３のキー３２を介して表示の指示を入力することにより、そのフラッシュメモリ３６に保存された画像データがＬＣＤ３４に表示される。それ故、操作ユニット３を装置本体２から取り外して所望の場所に持っていくことにより、装置本体２から離れた場所において、ＬＡＮ等の通信設備がない場合であっても、装置本体２に蓄積された画像データを見られる。例えば、ＬＡＮ等のない会議室で複数の人が装置本体２に蓄積された画像データを見る場合等に便利である。
【００３７】
また、認証により操作ユニット３のフラッシュメモリ３６に保存されたデータ（画像データ等）の利用権限が認められた場合にのみ、フラッシュメモリ３６に保存された画像データ等の表示の指示（操作）が受け付けられる。それ故、操作ユニット３に保存された画像データが利用権限のない者に見られるのを防止できる。
【００３８】
また、装置本体２に保存された画像データは操作ユニット３での表示のために最適化した後、操作ユニット３で表示される。それ故、操作ユニット３での表示を行うために、画像データのサイズ（画素数）等を最適化した状態で画像データを表示できる。
【００３９】
以下では、本実施形態に係る画像処理装置１の変形例について記載する。本実施形態では、装置本体２と操作ユニット３との間の通信路として、接触型のＵＳＢ２．０が用いられたが、接触型又は非接触型の種々の形式の通信路が採用できる。例えば、非接触式の通信路（例えば、Bluetooth（登録商標）、無線ＬＡＮ及びＩｒＤＡ（Infrared Data Association）等）を用いた場合には、操作ユニット３を装置本体２から取り外した状態でも装置本体２との情報の授受が行える利点がある。
【００４０】
また、操作ユニット３のフラッシュメモリ３６に保存されたデータ又はフォルダの利用権限を、画像処理装置１が配置された組織（例えば、会社等）内のグループごとに設定してもよい。これによって、フラッシュメモリ３６内の特定の画像データに関して、その画像データの内容に関係のない部署（グループ）の人員がその画像データを見るのを防止できる。
【００４１】
また、パスワードの入力に関して、正当なパスワードが入力された後であっても、パスワードの入力時から所定時間が経過した場合、認証の必要な画像データの表示等を行うためには、再度パスワードの入力が必要となる構成にしてもよい。あるいは、操作ユニット３が装置本体２に装着された場合にも、利用権限のない第三者が操作できないようにパスワードの入力を要求するようにしてもい。また、操作ユニット３のＬＣＤ３４が設けられた部分が折りたたみ可能なものである場合には、操作ユニット３が折り畳まれた状態から元の状態に戻された場合にも、利用権限のない第三者が操作できないようにパスワードの入力を要求するようにしてもい。
【００４２】
また、認証情報としてパスワードを用いたが、生体情報（例えば、指の指紋及び手の静脈等）を認証情報として用いてもよい。この場合、生体情報の入力を受け付けるための受付部が操作ユニット３に追加される。
【図面の簡単な説明】
【００４３】
【図１】本発明の一実施形態に係る画像処理装置の一部を拡大して示す図である。
【図２】図１の画像処理装置のブロック図である。
【図３】操作ユニットのＣＰＵの制御を示すフローチャートである。
【符号の説明】
【００４４】
１  画像処理装置
２  装置本体
３  操作ユニット
５，６  接続部
２１  スキャナ部
２２  ＣＰＵ
２３  ＪＰＥＧコーデック
２４  フラッシュメモリ
２５  ＳＲＡＭ
２６  ＳＤＲＡＭ
２７  プリンタ部
２８  シリアルインターフェイス
２９  電源制御部
３１  キー検知回路
３２  キー
３３  ＬＣＤドライバー
３４  ＬＣＤ
３５  ＣＰＵ
３６  フラッシュメモリ
３７  ＳＲＡＭ
３８  ＳＤＲＡＭ
３９  シリアルインターフェイス
４０  バッテリ
【図１】
2009089285.tif 000003
【図２】
2009089285.tif 000004
【図３】
2009089285.tif 000005